【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
外部電子機器と接続されるテレビ受信機能付きの携帯端末装置であって、
前記外部電子機器がテレビ受信機能を内蔵しているか否かを判断する接続判断手段と、
この接続判断手段により前記外部電子機器がテレビ受信機能を内蔵していると判断された場合には、当該外部電子機器において受信されたテレビ番組のデータを取り込む受信番組データ取り込み手段と、
前記外部電子機器と接続されてない場合、または前記接続判断手段により前記外部電子機器がテレビ受信機能を内蔵していないと判断された場合には、本装置自身でテレビ番組を受信するテレビ受信手段と、
前記受信番組データ取り込み手段により取り込まれたテレビ番組のデータまたは前記テレビ受信手段により受信されたテレビ番組のデータを記録するテレビ録画手段と、
を備えたことを特徴とする携帯端末装置。
【請求項２】
前記受信番組データ取り込み手段は、前記接続判断手段により前記外部電子機器がテレビ受信機能を内蔵していると判断された場合には、当該外部電子機器に対して録画対象の番組情報を送信し、これに応答して前記外部電子機器において受信されたテレビ番組のデータを取り込み、
前記テレビ受信手段は、前記外部電子機器と接続されてない場合、または前記接続判断手段により前記外部電子機器がテレビ受信機能を内蔵していないと判断された場合には、録画対象の番組情報に応じて本装置自身でテレビ番組を受信する、
ことを特徴とする請求項１に記載の携帯端末装置。
【請求項３】
さらに、
外部電源の供給があるか否かを判断する電源判断手段と、
この電源判断手段により外部電源の供給が無いと判断された場合には、前記録画対象の番組情報に基づき当該番組の長さが所定の時間以内か否かを判断する番組時間判断手段と、を備え、
この番組時間判断手段により前記録画対象の番組の長さが所定の時間以内であると判断された場合には、前記テレビ受信手段により前記録画対象の番組情報に応じて本装置自身でテレビ番組を受信する、
ことを特徴とする請求項２に記載の携帯端末装置。
【請求項４】
さらに、
前記番組時間判断手段により前記録画対象の番組の長さが所定の時間を超えると判断された場合には、外部電源がなく録画不可であることを報知する外部電源無し報知手段を備えことを特徴とする請求項３に記載の携帯端末装置。
【請求項５】
さらに、
前記番組時間判断手段により前記録画対象の番組の長さが所定の時間を超えると判断された場合でも、強制的に前記テレビ受信手段により前記録画対象の番組情報に応じて本装置自身でテレビ番組を受信させる強制受信指示手段を備えたことを特徴とする請求項３または請求項４に記載の携帯端末装置。
【請求項６】
さらに、
前記録画対象の番組情報が録画予約されたものである場合に、当該予約時間よりも設定時間前に外部電源の供給があるか否かを判断する事前電源判断手段と、
この事前電源判断手段により外部電源の供給が無いと判断された場合には、外部電源の接続要求を報知する外部電源要求報知手段と、
を備えたことを特徴とする請求項２乃至請求項５の何れか１項に記載の携帯端末装置。
【請求項７】
テレビ受信機能付きの携帯端末装置と、接続されるテレビ受信機能を内蔵した外部電子機器と、を備えたテレビ受信システムであって、
前記テレビ機能付き携帯端末装置は、
前記外部電子機器がテレビ受信機能を内蔵しているか否かを判断する接続判断手段と、
この接続判断手段により前記外部電子機器がテレビ受信機能を内蔵していると判断された場合には、当該外部電子機器に対して録画対象の番組情報を送信する対象情報送信手段と、
この対象情報送信手段による前記外部電子機器への録画対象の番組情報の送信に応答して、当該外部電子機器にて受信され送信されたテレビ番組のデータを取り込む受信番組データ取り込み手段と、
前記外部電子機器と接続されてない場合、および前記接続判断手段により前記外部電子機器がテレビ受信機能を内蔵していないと判断された場合には、本装置自身でテレビ番組を受信するテレビ受信手段と、
前記受信番組データ取り込み手段により取り込まれたテレビ番組のデータまたは前記テレビ受信手段により受信されたテレビ番組のデータを記録するテレビ録画手段と、を備え、
前記テレビ受信機能内蔵外部電子機器は、
前記テレビ機能付き携帯端末装置から送信された録画対象の番組情報を受信する対象情報受信手段と、
この対象情報受信手段により受信された録画対象の番組情報に応じたテレビ番組を受信するテレビ受信手段と、
このテレビ受信手段により受信されたテレビ番組のデータを前記テレビ機能付き携帯端末装置に対して送信する受信番組データ送信手段と、を備えた、
ことを特徴とするテレビ受信システム。
【手続補正２】
【補正対象書類名】明細書
【補正対象項目名】０００６
【補正方法】変更
【補正の内容】
【０００６】
本発明は、前記のような問題に鑑みなされたもので、端末が単体での独立した使用状態になくテレビ受信機能付きの外部電子機器と接続しているときには、当該外部電子機器側で受信した良好な画質・音声の番組データを取り込むことが可能になる携帯端末装置およびテレビ受信システムを提供することを目的とする。
【手続補正３】
【補正対象書類名】明細書
【補正対象項目名】０００７
【補正方法】変更
【補正の内容】
【０００７】
本発明の請求項１に記載の携帯端末装置では、接続判断手段によって接続された外部電子機器がテレビ受信機能を内蔵しているか否かを判断し、これにより前記外部電子機器がテレビ受信機能を内蔵していると判断された場合には、受信番組データ取り込み手段によって当該外部電子機器において受信されたテレビ番組のデータを取り込む。一方で、前記外部電子機器と接続されてない場合、または前記接続判断手段により前記外部電子機器がテレビ受信機能を内蔵していないと判断された場合には、テレビ受信手段によって本装置自身でテレビ番組を受信する。そして、前記受信番組データ取り込み手段により取り込まれたテレビ番組のデータまたは前記テレビ受信手段により受信されたテレビ番組のデータをテレビ録画手段によって記録する。
【手続補正４】
【補正対象書類名】明細書
【補正対象項目名】０００８
【補正方法】変更
【補正の内容】
【０００８】
これによれば、テレビ受信機能を内蔵した外部電子機器と接続されている場合には、この外部電子機器において安定して受信した高画質・高音質のテレビ番組のデータを取り込んで録画できることになる。
【手続補正５】
【補正対象書類名】明細書
【補正対象項目名】０００９
【補正方法】変更
【補正の内容】
【０００９】
本発明の請求項２に記載の携帯端末装置では、前記請求項１に記載の携帯端末装置にあって、前記受信番組データ取り込み手段は、前記接続判断手段により前記外部電子機器がテレビ受信機能を内蔵していると判断された場合には、当該外部電子機器に対して録画対象の番組情報を送信し、これに応答して外部電子機器において受信されたテレビ番組のデータを取り込み、前記テレビ受信手段は、前記外部電子機器と接続されてない場合、または前記接続判断手段により前記外部電子機器がテレビ受信機能を内蔵していないと判断された場合には、録画対象の番組情報に応じて本装置自身でテレビ番組を受信する。
【手続補正６】
【補正対象書類名】明細書
【補正対象項目名】００１０
【補正方法】変更
【補正の内容】
【００１０】
これによれば、携帯端末装置にて録画予約または録画指定された録画対象の番組情報に応じたテレビ番組を外部電子機器の側で安定して受信させて取り込むことができることになる。
【手続補正７】
【補正対象書類名】明細書
【補正対象項目名】００１９
【補正方法】変更
【補正の内容】
【００１９】
本発明の請求項１に記載の携帯端末装置によれば、テレビ受信機能を内蔵した外部電子機器と接続されている場合には、この外部電子機器において安定して受信した高画質・高音質のテレビ番組のデータを取り込んで録画できるようになる。
【手続補正８】
【補正対象書類名】明細書
【補正対象項目名】００２０
【補正方法】変更
【補正の内容】
【００２０】
本発明の請求項２に記載の携帯端末装置によれば、前記請求項１に記載の携帯端末装置にあって、携帯端末装置にて録画予約または録画指定された録画対象の番組情報に応じたテレビ番組を外部電子機器の側で安定して受信させて取り込むことができるようになる。
【手続補正９】
【補正対象書類名】明細書
【補正対象項目名】００２５
【補正方法】変更
【補正の内容】
【００２５】
よって、本発明によれば、端末が単体での独立した使用状態になくテレビ受信機能付きの外部電子機器と接続しているときには、当該外部電子機器側で受信した良好な画質・音声の番組データを取り込むことが可能になる携帯端末装置および携帯テレビ受信システムを提供できる。